(57)【要約】  本発明のプロジェクタは、映像信号に基づいて映像光を投射するプロジェクタであって、ランプから出射された光を映像信号の振幅に応じて減衰させて、映像光として出射する表示素子と、映像信号に応じて、ランプを駆動するランプ電力の電力値を特定し、その電力値まで徐々にランプ電力を変化させる電力制御信号を生成するとともに、ランプ電力を変化させた場合に投射される映像光の光量が、ランプ電力を変化させずに投射される映像光の光量と実質的に同じになる映像信号の振幅値を特定し、その振幅値まで徐々に映像信号の振幅を変化させる振幅制御信号を生成する制御部と、電力制御信号に応じたランプ電力をランプに供給するランプ駆動部と、振幅制御信号に応じて、映像信号の振幅を調整し、振幅を調整した映像信号に応じて、表示素子を駆動させる振幅変調部と、を有する。
2012026000.tif 000002
【特許請求の範囲】
【請求項１】
映像信号に基づいて映像光を投射するプロジェクタであって、
ランプと、
前記ランプから出射された光を前記映像信号の振幅に応じて変調させて、前記映像光として出射する表示素子と、
前記映像信号に応じて、前記ランプを駆動するランプ電力の電力値を特定し、該電力値まで徐々に前記ランプ電力を変化させる電力制御信号を生成するとともに、前記電力値にランプ電力を変化させた場合に投射される前記映像光の光量が、ランプ電力を変化させずに投射した場合の前記映像光の光量と実質的に同じになる前記映像信号の振幅値を特定し、該振幅値まで徐々に前記映像信号の振幅を変化させる振幅制御信号を生成する制御部と、
前記制御部により生成された前記電力制御信号に応じたランプ電力を前記ランプに供給するランプ駆動部と、
前記制御部により生成された前記振幅制御信号に応じて、前記映像信号の振幅を調整し、該振幅を調整した映像信号に応じて、前記表示素子を駆動させる振幅変調部と、を有することを特徴とするプロジェクタ。
【請求項２】
請求項１記載のプロジェクタにおいて、
前記制御部は、前記映像信号の振幅の最大値に応じて、前記電力値を特定することを特徴とするプロジェクタ。
【請求項３】
請求項１記載のプロジェクタにおいて、
前記制御部は、前記映像信号に示される複数の階調それぞれの発生頻度に応じて、前記電力値を特定することを特徴とするプロジェクタ。
【請求項４】
ランプと、前記ランプから出射された光を映像信号の振幅に応じて変調させて、映像光として出射する表示素子と、を有するプロジェクタの制御方法であって、
制御部が、前記映像信号に応じて、前記ランプを駆動するランプ電力の電力値を特定し、該電力値まで徐々に前記ランプ電力を変化させる電力制御信号を生成するとともに、前記電力値にランプ電力を変化させた場合に投射される前記映像光の光量が、ランプ電力を変化させずに投射した場合の前記映像光の光量と実質的に同じになる前記映像信号の振幅値を特定し、該振幅値まで徐々に前記映像信号の振幅を変化させる振幅制御信号を生成し、
ランプ駆動部が、前記制御部により生成された前記電力制御信号に応じたランプ電力を前記ランプに供給し、
振幅変調部が、前記制御部により生成された前記振幅制御信号に応じて、前記映像信号の振幅を調整し、該振幅を調整した映像信号に応じて、前記表示素子を駆動させることを特徴とするプロジェクタの制御方法。
【請求項５】
請求項４記載のプロジェクタの制御方法において、
前記制御部が、前記映像信号の振幅の最大値に応じて、前記電力値を特定することを特徴とするプロジェクタの制御方法。
【請求項６】
請求項４記載のプロジェクタの制御方法において、
前記制御部が、前記映像信号に示される複数の階調それぞれの発生頻度に応じて、前記電力値を特定することを特徴とするプロジェクタの制御方法。
【発明の詳細な説明】
【技術分野】
【０００１】
本発明は、プロジェクタおよびその制御方法に関する。
【背景技術】
【０００２】
近年、映像信号に基づいて映像光を投射するプロジェクタにおいて、投射時の消費電力の低減が重要な課題となっている。【０００３】
そこで、特許文献１（特開平１１−６５５２８号公報）には、ランプと、ランプから出射された光を映像信号に応じて減衰させて、映像光として出射する表示素子とを有し、所定期間における映像信号の振幅の最大値（ピークレベル）が低いほど、ランプ電力を下げるとともに、映像信号を補正するプロジェクタが開示されている。このプロジェクタによれば、ランプ電力を下げた場合に、映像光の光量が、ランプ電力を下げずに投射する場合と同じになるように映像信号を補正することで、同じ明るさの映像光をより少ない消費電力で投射することができる。
【先行技術文献】
【特許文献】
【０００４】
【特許文献１】特開平１１−６５５２８号公報
【発明の概要】
【発明が解決しようとする課題】
【０００５】
ところで、一般的に、プロジェクタのランプとしては放電灯が用いられる。このランプの点灯中には、ランプの電極間の放電に伴い電極から蒸発した電極物質が、ランプの発光管内に封入されたハロゲンガスの作用により、再び電極に付着するというハロゲンサイクルが生じる。このハロゲンサイクルを適切に制御することで、ランプの寿命低下やフリッカの発生を抑制することができる。ここで、ハロゲンサイクルを適切に制御するためには、ランプ電力およびランプ温度の制御が重要である。【０００６】
一般に、ランプ温度は、ファンを用いてランプを冷却することで制御される。ここで、ランプ電力を急激に変化させると、ランプ温度も急激に変化し、ファンを用いた冷却が間に合わず、ランプ温度を適切な状態に保つことが困難となる。【０００７】
特許文献１に開示されるプロジェクタにおいては、ランプ温度の制御を考慮せずにランプ電力を変化させるので、ランプ電力の変化により、ランプ温度を適切な状態に保つことが困難となる。ランプ温度が適切な状態に保たれないと、ランプの特性が劣化し、寿命低下やフリッカの発生といった問題が生じる。【０００８】
本発明の目的は、上述した課題を解決することができるプロジェクタおよびその制御方法を提供することにある。
【課題を解決するための手段】
【０００９】
上記目的を達成するために本発明のプロジェクタは、
映像信号に基づいて映像光を投射するプロジェクタであって、
ランプと、
前記ランプから出射された光を前記映像信号の振幅に応じて変調させて、前記映像光として出射する表示素子と、
前記映像信号に応じて、前記ランプを駆動するランプ電力の電力値を特定し、該電力値まで徐々に前記ランプ電力を変化させる電力制御信号を生成するとともに、前記電力値にランプ電力を変化させた場合に投射される前記映像光の光量が、ランプ電力を変化させずに投射した場合の前記映像光の光量と実質的に同じになる前記映像信号の振幅値を特定し、該振幅値まで徐々に前記映像信号の振幅を変化させる振幅制御信号を生成する制御部と、
前記制御部により生成された前記電力制御信号に応じたランプ電力を前記ランプに供給するランプ駆動部と、
前記制御部により生成された前記振幅制御信号に応じて、前記映像信号の振幅を調整し、該振幅を調整した映像信号に応じて、前記表示素子を駆動させる振幅変調部と、を有する。【００１０】
上記目的を達成するために本発明のプロジェクタの制御方法は、
ランプと、前記ランプから出射された光を映像信号の振幅に応じて変調させて、映像光として出射する表示素子と、を有するプロジェクタの制御方法であって、
制御部が、前記映像信号に応じて、前記ランプを駆動するランプ電力の電力値を特定し、該電力値まで徐々に前記ランプ電力を変化させる電力制御信号を生成するとともに、前記電力値にランプ電力を変化させた場合に投射される前記映像光の光量が、ランプ電力を変化させずに投射した場合の前記映像光の光量と実質的に同じになる前記映像信号の振幅値を特定し、該振幅値まで徐々に前記映像信号の振幅を変化させる振幅制御信号を生成し、
ランプ駆動部が、前記制御部により生成された前記電力制御信号に応じたランプ電力を前記ランプに供給し、
振幅変調部が、前記制御部により生成された前記振幅制御信号に応じて、前記映像信号の振幅を調整し、該振幅を調整した映像信号に応じて、前記表示素子を駆動させる。
【発明の効果】
【００１１】
本発明によれば、プロジェクタは、同じ光量の映像光をより少ない消費電力で投射することができるとともに、ランプ温度の変化を抑制し、ランプの特性劣化を低減することができる。
【図面の簡単な説明】
【００１２】
【図１】本発明の一実施形態のプロジェクタの構成を示す図である。
【図２】映像信号のピークレベルに対するランプ電力値および映像信号の振幅値の関係を示す図である。
【図３】図１に示すプロジェクタの動作を説明するための図である。
【図４】図１に示すプロジェクタの他の動作を説明するための図である。
【発明を実施するための形態】
【００１３】
以下に、本発明を実施するための形態について図面を参照して説明する。
【００１４】
図１は、本発明の一実施形態のプロジェクタ１０の構成を示す図である。
【００１５】
図１に示すプロジェクタ１０は、ピークレベル検出部１１と、ゲイン算出部１２と、ランプ駆動部１３と、ランプ１４と、温度制御部１５と、振幅変調部１６と、表示素子駆動部１７と、表示素子１８と、を有する。なお、図１において、白抜き矢印は光束を示す。また、ゲイン算出部１２は、制御部の一例である。
【００１６】
外部から与えられる映像信号は、ピークレベル検出部１１と振幅変調部１６とに入力される。
【００１７】
ピークレベル検出部１１は、入力された映像信号の所定期間におけるピークレベルを検出し、ピークレベル検出値をゲイン算出部１２に出力する。
【００１８】
ゲイン算出部１２は、ピークレベル検出部１１から入力されたピークレベル検出値に応じて、ランプ電力の電力値Ｐと映像信号の振幅値Ａとを特定する。なお、ゲイン算出部１２は、例えば、以下のようにして、電力値Ｐと振幅値Ａとを特定する。
【００１９】
まず、ゲイン算出部１２は、ゲインＧ＝Ｖ1／Ｖ0を算出する。なお、Ｖ1は、ピークレベル検出値であり、Ｖ0は、映像信号の標準的なピークレベルとして予め設定された所定値である。以下では、Ｖ0を基準ピークレベルと称する。
【００２０】
次に、ゲイン算出部１２は、電力値Ｐ＝Ｐ0・Ｇから電力値Ｐを特定する。なお、Ｐ0は、標準的なランプ電力値として予め設定された所定値である。以下では、Ｐ0を基準ランプ電力値と称する。
【００２１】
また、ゲイン算出部１２は、振幅値Ａ＝Ａ0／Ｇから振幅値Ａを特定する。なお、Ａ0は、外部から入力された元の映像信号の振幅値である。
【００２２】
図２は、ピークレベル検出値とそのピークレベル検出値に応じて特定される電力値Ｐおよび振幅値Ａとの関係を示す図である。なお、図２において、横軸はピークレベル検出値を示しており、右側にいくほどピークレベル検出値が大きいことを示す。また、図２において、実線は電力値Ｐを示し、点線は振幅値Ａを示す。
【００２３】
図２に示すように、電力値Ｐは、ピークレベル検出値に比例し、振幅値Ａは、ピークレベル検出値に反比例する。
【００２４】
電力値Ｐと振幅値Ａとを特定すると、ゲイン算出部１２は、電力値Ｐまで徐々にランプ電力を変化させる電力制御信号を生成し、ランプ駆動部１３に出力する。また、ゲイン算出部１２は、振幅値Ａまで徐々に映像信号の振幅を変化させる振幅制御信号を生成し、振幅変調部１６に出力する。
【００２５】
ランプ駆動部１３は、ゲイン算出部１２から入力された電力制御信号に応じたランプ電力をランプ１４に供給する。
【００２６】
ランプ１４は、ランプ駆動部１３から供給されるランプ電力により駆動され、表示素子１８を照明する光を出射する。
【００２７】
温度制御部１５は、例えば、ファンを用いて、ランプ１４のランプ温度を制御する。
【００２８】
振幅変調部１６は、ゲイン算出部１２から入力された振幅制御信号に応じて、元の映像信号の振幅を調整し、その振幅を調整した映像信号を表示素子駆動部１７に出力する。
【００２９】
表示素子駆動部１７は、振幅変調部１６から入力された映像信号に応じて、表示素子１８を駆動する。
【００３０】
表示素子１８は、表示素子駆動部１７により駆動され、ランプ１４から出射された光を、映像信号の振幅に応じて変調して、映像光として出射する。ここで、ランプ１４から出射された光は、映像信号の振幅が小さいほど大きく、映像信号の振幅が大きいほど小さく減衰されるものとする。換言すると、映像光は、映像信号の振幅が小さいほど暗く、映像信号の振幅が大きいほど明るくなる。
【００３１】
次に、プロジェクタ１０の動作について図３を参照して説明する。
【００３２】
なお、図３（ａ）は、ピークレベル検出値のタイミングチャートを示し、図３（ｂ）は、ランプ電力値のタイミングチャートを示し、図３（ｃ）は、映像信号の振幅値のタイミングチャートを示す。
【００３３】
ピークレベル検出部１１は、外部から与えられた映像信号のピークレベルを検出し、ピークレベル検出値をゲイン算出部１２に出力する。
【００３４】
時刻ｔ１において、映像信号のピークレベル検出値が基準ピークレベルＶ0の８０％に下がったとする。この場合、ゲイン算出部１２は、Ｇ＝０．８と算出し、電力値Ｐを基準ランプ電力値Ｐ0の０．８倍、すなわち、８０％とするとともに、振幅値Ａを元の映像信号の振幅の１／０．８倍、すなわち、１２５％とする。
【００３５】
次に、ゲイン算出部１２は、電力値Ｐまで徐々にランプ電力を下げる電力制御信号をランプ駆動部１３に出力し、また、振幅値Ａまで徐々に映像信号の振幅を大きくする振幅制御信号を振幅変調部１６に出力する。
【００３６】
ランプ駆動部１３は、電力制御信号に応じて、図３（ｂ）に示すように、時刻ｔ１から時刻ｔ２までの間、ランプ電力を電力値Ｐまで徐々に下げる。なお、時刻ｔ１から時刻ｔ２までの時間は、おおむね、数秒から十数秒程度である。
【００３７】
振幅変調部１６は、振幅制御信号に応じて、図３（ｃ）に示すように、時刻ｔ１から時刻ｔ２までの間、映像信号の振幅を振幅値Ａまで徐々に大きくする。
【００３８】
時刻ｔ４において、ピークレベル検出値が基準ピークレベルＶ0に上がったとする。この場合、ゲイン算出部１２は、Ｇ＝１．０と算出し、電力値Ｐを基準ランプ電力値Ｐ0の１．０倍、すなわち、１００％とするとともに、振幅値Ａを元の映像信号の振幅の１．０倍、すなわち、１００％とする。
【００３９】
次に、ゲイン算出部１２は、電力値Ｐまで徐々にランプ電力を上げる電力制御信号をランプ駆動部１３に出力し、また、振幅値Ａまで徐々に映像信号の振幅を小さくする振幅制御信号を振幅変調部１６に出力する。
【００４０】
ランプ駆動部１３は、電力制御信号に応じて、図３（ｂ）に示すように、時刻ｔ４から時刻ｔ６までの間、ランプ電力を電力値Ｐまで徐々に上げる。
【００４１】
振幅変調部１６は、振幅制御信号に応じて、図３（ｃ）に示すように、時刻ｔ４から時刻ｔ６までの間、映像信号の振幅を振幅値Ａまで徐々に小さくする。
【００４２】
ランプ電力を下げると、ランプ１４の光量も下がるが、ランプ電力の低下に応じて、映像信号の振幅を大きくし、表示素子１８によるランプ１４から出射された光が小さく減衰されるようにすることで、ランプ電力を低下させない場合と同じ明るさの映像光をより少ない消費電力で投射することができる。また、ランプ電力を徐々に変化させるので、ランプ温度が急激に変化せず、温度制御部１５は、ランプ温度を適切な状態に保つことができる。
【００４３】
なお、表示素子１８により表現できる映像信号の最大振幅は限られているので、映像信号の振幅を大きくしすぎると、映像信号が飽和し、明るい階調の再現ができないという不具合が投射映像に生じる。
【００４４】
そこで、以下では、投射映像の不具合を軽減するために、図３（ｃ）に示したものとは異なる映像信号の振幅値の制御方法について説明する。
【００４５】
図３（ｄ）は、その異なる映像信号の振幅値のタイミングチャートの一例を示す。
【００４６】
まず、時刻ｔ４において、映像信号のピークレベルが上がった場合について説明する。
【００４７】
ゲイン算出部１２は、電力値Ｐと振幅値Ａとを特定すると、電力制御信号をランプ駆動部１３に、振幅制御信号を振幅変調部１６に出力する。
【００４８】
ここで、ゲイン算出部１２は、映像信号の振幅を振幅値Ａまで変化させる時間である振幅制御時間を、ランプ電力を電力値Ｐまで変化させる時間である電力制御時間よりも短くする振幅制御信号を振幅変調部１６に出力する。
【００４９】
振幅変調部１６は、振幅制御信号に応じて、映像信号の振幅を変化させる。具体的には、振幅変調部１６は、図３（ｄ）に示すように、時刻ｔ４から、ランプ電力が電力値Ｐとなる時刻ｔ６よりも早い時刻ｔ５までの間で映像信号の振幅を振幅値Ａまで小さくする。
【００５０】
時刻ｔ３以降、映像信号の振幅は元の映像信号の振幅の１２５％になっている。この振幅が表示素子１８で表現することができる映像信号の最大振幅であるとすると、この状態で、映像信号のピークレベルが基準ピークレベルＶ0の８０％から１００％に上がると、振幅値が８０％から１００％までの間の階調の映像信号が飽和し、明るい階調の再現ができなくなる。
【００５１】
しかし、図３（ｄ）に示すように、ランプ電力が電力値Ｐとなるのを待たずに映像信号の振幅を振幅値Ａとすることで、映像信号が飽和している時間を短くすることができる。振幅制御時間と電力制御時間とが一致していない場合、投射映像の明るさが一時的に変わってしまうが、映像信号が飽和していることに比べて、明るさの変化は視認されにくく、投射映像の不具合を低減することができる。また、ランプ電力や映像信号の振幅を、段階的にではなく連続的に変化させることで、より明るさの変化が視認されにくくすることができる。
【００５２】
次に、時刻ｔ１において、映像信号のピークレベルが下がった場合について説明する。
【００５３】
ゲイン算出部１２は、電力値Ｐおよび振幅値Ａを特定すると、電力制御信号をランプ駆動部１３に出力し、振幅制御信号を振幅変調部１６に出力する。
【００５４】
ここで、ゲイン算出部１２は、振幅制御時間を電力制御時間よりも長くする振幅制御信号を振幅変調部１６に出力する。
【００５５】
振幅変調部１６は、振幅制御信号に応じて、映像信号の振幅を調整する。具体的には、振幅変調部１６は、図３（ｄ）に示すように、時刻ｔ１から、ランプ電力が電力値Ｐとなる時刻ｔ２よりも遅い時刻ｔ３までの間で映像信号の振幅を振幅値Ａまで大きくする。
【００５６】
時刻ｔ１以前には、ランプ電力は基準ランプ電力値Ｐ0の１００％に、映像信号の振幅は元の映像信号の振幅の１００％になっている。この状態で、映像信号のピークレベルが基準ピークレベルＶ0の８０％になっても、映像信号が飽和することはない。従って、図３（ｃ）に示すように、映像信号の振幅制御とランプ電力の制御とを同時にしてよい。しかし、映像信号の振幅やランプ電力の制御中に映像信号のピークレベルが変わると、その時点で映像信号が飽和する可能性がある。そこで、映像信号の振幅制御にかける時間をランプ電力の制御にかける時間よりも遅くすることで、映像信号が飽和する可能性を低減することができる。換言すると、振幅制御時間を電力制御時間よりも長くすることで映像信号の飽和を防止している。
【００５７】
ランプ電力の変化中に映像信号のピークレベルが変わった場合の動作について図４を参照して説明する。なお、図４（ａ）は、ピークレベル検出値のタイミングチャートを示し、図４（ｂ）は、ランプ電力のタイミングチャートを示し、図４（ｃ）は、映像信号の振幅値のタイミングチャートを示す。また、図４において、図３と同時刻については同じ符号を付す。
【００５８】
時刻ｔ１において、ピークレベル検出値が下がると、ゲイン算出部１２は、電力値Ｐと振幅値Ａとを特定し、電力制御信号をランプ駆動部１３に、振幅制御信号を振幅変調部１６に出力する。
【００５９】
ランプ駆動部１３は、電力制御信号に応じて、図４（ｂ）に示すように、ランプ電力を下げ、また、振幅変調部１６は、振幅制御信号に応じて、図４（ｃ）に示すように、映像信号の振幅を大きくする。ここで、ランプ電力が電力値Ｐとなる前の時刻ｔ１１において、映像信号のピークレベルが基準ピークレベルＶ0に上がったとする。
【００６０】
この場合、映像信号が飽和する可能性があるので、ゲイン算出部１２は、ランプ電力を上げる電力制御信号をランプ駆動部１３に出力し、振幅制御時間を電力制御時間よりも短くする振幅制御信号を振幅変調部１６に出力する。
【００６１】
振幅変調部１６は、振幅制御信号に応じて、図４（ｃ）に示すように、時刻ｔ１１から時刻ｔ１２までの間で映像信号の振幅を変化させる。また、ランプ駆動部１３は、電力制御信号に応じて、図４（ｂ）に示すように、時刻ｔ１１から時刻ｔ１３まで間でランプ電力を変化させる。
【００６２】
次に、時刻ｔ４において、ピークレベル検出値が上がると、ゲイン算出部１２は、電力値Ｐおよび振幅値Ａを特定し、電力制御信号をランプ駆動部１３に、振幅制御信号を振幅変調部１６に出力する。
【００６３】
ランプ駆動部１３は、電力制御信号に応じて、図４（ｂ）に示すように、時刻ｔ４からランプ電力を上げ、また、振幅変調部１６は、振幅制御信号に応じて、図４（ｃ）に示すように、時刻ｔ４から時刻ｔ１４までの時間で映像信号の振幅を小さくする。
【００６４】
ランプ電力が電力値Ｐとなる前の時刻ｔ１５において、映像信号のピークレベルが上がったとする。
【００６５】
この場合、映像信号が飽和する可能性はないので、ゲイン算出部１２は、そのままランプ電力を上げる電力制御信号をランプ駆動部１３に出力する。ランプ電力の変化の方向が一定のままなので、温度制御部１５によるランプ温度の制御が容易になる。
【００６６】
なお、時刻ｔ１３の後、ピークレベル検出値が下がった際のランプ駆動部１３の動作は、図３（ｂ）の時刻ｔ１から時刻ｔ３までの動作と同様であり、また、振幅変調部１６の動作は、図３（ｄ）の時刻ｔ１から時刻ｔ３までの動作と同様であるので、説明を省略する。
【００６７】
このように本実施形態のプロジェクタ１０によれば、映像信号のピークレベルに応じて、ランプ電力の電力値を特定し、その電力値まで徐々にランプ電力を変化させるとともに、ランプ電力の変化に応じて映像光の光量が一定となる映像信号の振幅値を特定し、その振幅値まで徐々に映像信号の振幅を変化させる。
【００６８】
そのため、ランプ電力を下げない場合と同じ明るさの映像光を、より少ない消費電力で投射することができるとともに、ランプ電力を徐々に変化させ、ランプ温度が急激に変化しないようにするので、ランプ温度を適切な状態に保ち、ランプの特性劣化を低減することができる。
【００６９】
なお、本実施形態においては、映像信号のピークレベルを検出する例を用いて説明したが、非常に小さい領域についてまでピークレベルを検出すると、必要以上にピークレベルが大きくなってしまう可能性がある。そこで、映像信号のピークレベルの代わりに、映像信号に示される複数の階調それぞれの発生頻度を示すヒストグラムを用いてもよい。このようなヒストグラムを用いることで、映像全体の明るさに応じたランプ電力などの制御を説明した実施形態と同様に行うことができる。
【００７０】
以上、実施形態を参照して本願発明を説明したが、本発明は上記実施形態に限定されるものではない。本願発明の構成や詳細には、本願発明の範囲内で当業者が理解し得る様々な変更をすることができる。
【図１】
2012026000.tif 000003
【図２】
2012026000.tif 000004
【図３】
2012026000.tif 000005
【図４】
2012026000.tif 000006
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
映像信号に基づいて映像光を投射するプロジェクタであって、
ランプと、
前記ランプから出射された光を前記映像信号の振幅に応じて変調させて、前記映像光として出射する表示素子と、
前記映像信号に応じて、前記ランプを駆動するランプ電力の電力値を特定し、該電力値まで徐々に前記ランプ電力を変化させる電力制御信号を生成するとともに、前記電力値にランプ電力を変化させた場合に投射される前記映像光の光量が、ランプ電力を変化させずに投射した場合の前記映像光の光量と実質的に同じになる前記映像信号の振幅値を特定し、該振幅値まで徐々に前記映像信号の振幅を変化させる振幅制御信号を生成する制御部と、
前記制御部により生成された前記電力制御信号に応じたランプ電力を前記ランプに供給するランプ駆動部と、
前記制御部により生成された前記振幅制御信号に応じて、前記映像信号の振幅を調整し、該振幅を調整した映像信号に応じて、前記表示素子を駆動させる振幅変調部と、を有し、
前記制御部は、前記映像信号に応じて前記電力制御信号の変化時間および前記振幅制御信号の変化時間を個別に増減することを特徴とするプロジェクタ。
【請求項２】
請求項１記載のプロジェクタにおいて、
前記制御部は、前記映像信号の振幅の最大値に応じて、前記電力値を特定することを特徴とするプロジェクタ。
【請求項３】
請求項１記載のプロジェクタにおいて、
前記制御部は、前記映像信号に示される複数の階調それぞれの発生頻度に応じて、前記電力値を特定することを特徴とするプロジェクタ。
【請求項４】
ランプと、前記ランプから出射された光を映像信号の振幅に応じて変調させて、映像光として出射する表示素子と、を有するプロジェクタの制御方法であって、
制御部が、前記映像信号に応じて、前記ランプを駆動するランプ電力の電力値を特定し、該電力値まで徐々に前記ランプ電力を変化させる電力制御信号を生成するとともに、前記電力値にランプ電力を変化させた場合に投射される前記映像光の光量が、ランプ電力を変化させずに投射した場合の前記映像光の光量と実質的に同じになる前記映像信号の振幅値を特定し、該振幅値まで徐々に前記映像信号の振幅を変化させる振幅制御信号を生成し、
ランプ駆動部が、前記制御部により生成された前記電力制御信号に応じたランプ電力を前記ランプに供給し、
振幅変調部が、前記制御部により生成された前記振幅制御信号に応じて、前記映像信号の振幅を調整し、該振幅を調整した映像信号に応じて、前記表示素子を駆動させ、
前記制御部が、前記映像信号に応じて前記電力制御信号の変化時間および前記振幅制御信号の変化時間を個別に増減することを特徴とするプロジェクタの制御方法。
【請求項５】
請求項４記載のプロジェクタの制御方法において、
前記制御部が、前記映像信号の振幅の最大値に応じて、前記電力値を特定することを特徴とするプロジェクタの制御方法。
【請求項６】
請求項４記載のプロジェクタの制御方法において、
前記制御部が、前記映像信号に示される複数の階調それぞれの発生頻度に応じて、前記電力値を特定することを特徴とするプロジェクタの制御方法。
【国際調査報告】
2012026000.tif 000007
2012026000.tif 000008